(57)【要約】      （修正有）【課題】針具キャップの製造コストを減らすことができる、針具キャップ及び針具キャップを有する注射器を提供する。【解決手段】注射器に取り付ける針具キャップは、スリーブ１及びカバー２を備える。注射器９は、シリンジ９１及び針具９２を有する。シリンジ９１は、挿入管９１１を有する。針具９２は、針基９２１及び針管９２２を有する。スリーブ１は、内周壁１１及び雌ねじ部１２を有し、第１の端部１３及び第２の端部１４が設けられる。内周壁１１の径方向寸法は、第１の端部１３から第２の端部１４にかけて徐々に縮小する。雌ねじ部１２は、内周壁１１に設けられる。針基９２１は、第１の端部１３を介して雌ねじ部１２に螺着され、スリーブ１が第２の端部１４を介して挿入管９１１に嵌設される。カバー２は、スリーブ１に旋回可能に取付けられるとともに、収容空間２１と、収容空間２１と連通する側方開口２２とを有する。【選択図】図２
0003211878.tif 000002
【実用新案登録請求の範囲】
【請求項１】
スリーブ及びカバーを備えるとともに、注射器に取り付ける針具キャップであって、
前記注射器は、シリンジ及び針具を有し、前記シリンジは、挿入管を有し、前記針具は、針基及び針管を有し、
前記スリーブは、内周壁及び雌ねじ部を有し、第１の端部及び第２の端部が設けられ、前記内周壁の径方向寸法は、前記第１の端部から前記第２の端部にかけて徐々に縮小し、前記雌ねじ部は、前記内周壁に設けられ、前記針基は、前記第１の端部を介して前記雌ねじ部に螺着され、前記スリーブが前記第２の端部を介して前記挿入管に嵌設され、
前記カバーは、前記スリーブに旋回可能に取付けられるとともに、収容空間と、前記収容空間と連通する側方開口と、を有し、前記カバーが前記針具に向かって旋回すると、前記針具の前記針管が側方開口を介して前記収容空間内に収容されることを特徴とする針具キャップ。
【請求項２】
前記スリーブの外壁の径方向寸法は、前記第１の端部から前記第２の端部にかけて同じであることを特徴とする請求項１に記載の針具キャップ。
【請求項３】
前記スリーブの壁厚は、前記第１の端部から前記第２の端部にかけて徐々に厚くなっていることを特徴とする請求項１に記載の針具キャップ。
【請求項４】
前記カバーは、弾性部材を有し、
前記弾性部材は、前記スリーブと前記カバーとの間に一体に接続され、前記カバーが前記針管へ向かって弾性回復力により旋回するか離れることを特徴とする請求項１に記載の針具キャップ。
【請求項５】
前記スリーブの前記内周壁に隣接した前記第２の端部には、内凸縁が径方向に設けられ、
前記内凸縁は、前記挿入管の外壁に当接されることを特徴とする請求項１に記載の針具キャップ。
【請求項６】
前記スリーブには、少なくとも１つの切欠き溝が軸方向で形成され、
前記少なくとも１つの切欠き溝は、前記第１の端部及び前記第２の端部に形成されておらず、前記スリーブの周壁が変形可能であることを特徴とする請求項１に記載の針具キャップ。
【請求項７】
前記少なくとも１つの切欠き溝は、前記第２の端部から前記第１の端部にかけて形成されていることを特徴とする請求項６に記載の針具キャップ。
【請求項８】
前記収容空間に隣接した前記側方開口の２つの側壁のうちの１つは、少なくとも１つのフック部を有し、各前記フック部により前記針管が前記収容空間内に位置拘束され、
前記スリーブの外壁の径方向寸法は、前記第１の端部から前記第２の端部にかけて同じであり、
前記スリーブの壁厚が前記第１の端部から前記第２の端部にかけて徐々に厚くなっており、
前記カバーは、弾性部材を有し、
前記弾性部材は、前記スリーブと前記カバーとの間に一体に接続され、前記カバーは前記針管へ向かって弾性回復力により旋回するか離れ、
前記スリーブの内周壁に隣接する前記第２の端部には、内凸縁が径方向に設けられ、前記内凸縁が前記挿入管の外壁に当接され、
前記スリーブには、少なくとも１つの切欠き溝が軸方向で形成され、
前記少なくとも１つの切欠き溝は、前記第１の端部及び前記第２の端部に形成されておらず、前記スリーブの周壁は変形可能であるとともに、前記第２の端部から前記第１の端部にかけて形成されていることを特徴とする請求項１に記載の針具キャップ。
【請求項９】
前記請求項１〜８の何れか１項に記載の針具キャップを有する注射器であって、
前記注射器は、前記シリンジ、前記針具及び押子を有し、
前記シリンジには、チャンバが形成されているとともに、前記挿入管が設けられ、前記スリーブが前記第２の端部を介して前記挿入管に嵌設され、
前記針具は、互いに接続された前記針基及び前記針管を有し、前記針基は、前記雌ねじ部に螺着され、前記針基は、前記シリンジの一端に設けられ、
前記押子は、前記チャンバ内に摺動可能に設けられるとともに、互いに接続されたピストン及び押圧部材を有することを特徴とする注射器。
【請求項１０】
前記針基には、前記針管から遠い側の一端に外凸縁が径方向に設けられ、
前記外凸縁は、前記雌ねじ部に螺着され、
前記挿入管の径方向寸法は、前記スリーブへかけて徐々に縮小することを特徴とする請求項９に記載の注射器。
【考案の詳細な説明】
【技術分野】
【０００１】
本考案は、針具キャップ及び針具キャップを有する注射器に関する。
【背景技術】
【０００２】
現在、世界各国では多くの医療従事者及び医療廃棄物処理業者の従事者が働いている。一般に使用済みの注射器は、針先にキャップを装着しなければならないが、その際誤って使用済みの注射針を自分に刺して血液媒介性感染症（例えば後天性免疫不全症候群、肝炎、肺結核など）に感染する、いわゆる針刺し事故が起き易かった。このような針刺し事故を防ぐために、注射器安全キャップが市販されており、この安全キャップは注射器の針基に取り付けられ、注射器を使用した後、キャップの蓋体を針管に向かって旋回させて針管全体を覆っていた（例えば特許文献１）。
【０００３】
しかし、従来の注射器安全キャップは、単一規格の物にしか使用できず、異なる規格寸法のシリンジ又は針基にスムーズに取付けることができず、各シリンジの規格に応じて様々な規格の注射器のキャップを製造しなければならなかったため、製造コストが多くかかり、改善の余地があった。
【０００４】
そのため、上述した従来技術の問題点を改善する、新規性及び進歩性を有する針具キャップ及び針具キャップを有する注射器が求められていた。
【先行技術文献】
【特許文献】
【０００５】
【特許文献１】台湾実用新案公告第Ｍ５２２０３７号公報
【考案の概要】
【考案が解決しようとする課題】
【０００６】
本考案の目的は、スピーディに様々な規格の針基へ取付けることができ、各注射器の規格に応じて様々な規格の針具キャップを製造する必要がないため、針具キャップの製造コストを減らすことができる、針具キャップ及び針具キャップを有する注射器を提供することにある。
【課題を解決するための手段】
【０００７】
上記課題を解決するために、本考案の第１の形態によれば、スリーブ及びカバーを備えるとともに、注射器に取り付ける針具キャップであって、前記注射器は、シリンジ及び針具を有し、前記シリンジは、挿入管を有し、前記針具は、針基及び針管を有し、前記スリーブは、内周壁及び雌ねじ部を有し、第１の端部及び第２の端部が設けられ、前記内周壁の径方向寸法は、前記第１の端部から前記第２の端部にかけて徐々に縮小し、前記雌ねじ部は、前記内周壁に設けられ、前記針基は、前記第１の端部を介して前記雌ねじ部に螺着され、前記スリーブが前記第２の端部を介して前記挿入管に嵌設され、前記カバーは、前記スリーブに旋回可能に取付けられるとともに、収容空間と、前記収容空間と連通する側方開口と、を有し、前記カバーが前記針具に向かって旋回すると、前記針具の前記針管が側方開口を介して前記収容空間内に収容されることを特徴とする針具キャップが提供される。
【０００８】
上記課題を解決するために、本考案の第２の形態によれば、針具キャップを有する注射器であって、前記注射器は、前記シリンジ、前記針具及び押子を有し、前記シリンジには、チャンバが形成されているとともに、前記挿入管が設けられ、前記スリーブが前記第２の端部を介して前記挿入管に嵌設され、前記針具は、互いに接続された前記針基及び前記針管を有し、前記針基は、前記雌ねじ部に螺着され、前記針基は、前記シリンジの一端に設けられ、前記押子は、前記チャンバ内に摺動可能に設けられるとともに、互いに接続されたピストン及び押圧部材を有することを特徴とする注射器が提供される。
【図面の簡単な説明】
【０００９】
【図１】図１は、本考案の一実施形態に係る針具キャップ及び針具キャップを有する注射器を示す斜視図である。
【図２】図２は、本考案の一実施形態に係る針具キャップ及び針具キャップを有する注射器を示す分解斜視図である。
【図３】図３は、本考案の一実施形態に係る針具キャップのスリーブを示す部分拡大図である。
【図４】図４は、本考案の一実施形態に係る針具キャップ及び針具キャップを有する注射器を示す動作説明図である。
【図５】図５は、本考案の一実施形態に係る針具キャップ及び針具キャップを有する注射器を示す動作説明図である。
【図６】図６は、本考案の一実施形態に係る針具キャップ及び針具キャップを有する注射器を示す動作説明図である。
【考案を実施するための形態】
【００１０】
以下、本考案の実施形態について図に基づいて説明する。なお、これによって本考案が限定されるものではない。
【００１１】
図１〜図５を参照する。図１〜図５に示すように、本考案の一実施形態に係る針具キャップは、スリーブ１及びカバー２を備えるとともに、注射器９に取り付けられる。注射器９は、シリンジ９１及び針具９２を有する。シリンジ９１は、挿入管９１１を有する。針具９２は、針基９２１及び針管９２２を有する。
【００１２】
スリーブ１は、内周壁１１及び雌ねじ部１２を有し、第１の端部１３及び第２の端部１４が設けられている。内周壁１１の径方向寸法は、第１の端部１３から第２の端部１４にかけて徐々に縮小する。雌ねじ部１２は、内周壁１１に設けられる。針基９２１は、第１の端部１３を介して雌ねじ部１２に螺着される。スリーブ１は、第２の端部１４を介して挿入管９１１に嵌設される。内周壁１１の径方向寸法が第１の端部１３から第２の端部１４にかけて徐々に縮小しているため、針基９２１が雌ねじ部１２に螺着されると、底部までねじ込まなくとも、針基９２１をスリーブ１に強固に嵌合させることができる。
【００１３】
カバー２は、スリーブ１に旋回可能に取付けられるとともに、収容空間２１と、収容空間２１と連通する側方開口２２と、を有する。カバー２が針具９２に向かって旋回されると、針具９２の針管９２２が側方開口２２を介して収容空間２１内に収容される。
【００１４】
スリーブ１の外壁の径方向寸法は、指で握り易いように、第１の端部１３から第２の端部１４にかけて同じであり、スリーブ１の壁厚は第１の端部１３から第２の端部１４にかけて徐々に厚くなっていることが好ましい。
【００１５】
カバー２は、弾性部材３を有する。弾性部材３は、スリーブ１とカバー２との間に一体に接続され、カバー２が針管９２２へ向かって弾性回復力により旋回するか離れる。
【００１６】
スリーブ１の内周壁１１に隣接した第２の端部１４には、内凸縁１５が径方向に設けられている。内凸縁１５が挿入管９１１の外壁に当接されると、スリーブ１と挿入管９１１とが強固に嵌合される。
【００１７】
スリーブ１には、少なくとも１つの切欠き溝１６が軸方向で形成されている。本実施形態の複数の切欠き溝１６は、第１の端部１３及び第２の端部１４には形成されておらず、スリーブ１の周壁は変形可能である（図５を参照する）。詳細に述べると、本実施形態の針基９２１には、針管９２２から遠い側の一端に外凸縁９２３が径方向に設けられている。外凸縁９２３は、雌ねじ部１２に螺着される（他の実施形態の針基９２１は、雌ねじ部１２に螺合する雄ねじ部を有してもよい）。挿入管９１１の径方向寸法は、スリーブ１へかけて徐々に縮小するため、スリーブ１及び針基９２１がシリンジ９１へ向かって押圧されると、挿入管９１１が針基９２１内に挿入され、挿入管９１１の外壁と針基９２１の内壁とが強固に接合される。針基９２１が第２の端部１４に近づくと、外凸縁９２３によりスリーブ１の周壁が外方へ僅かに押し広げるため、スリーブは、異なる寸法を有する針基９２１Ａと外凸縁９２３Ａとを組み立てることができる（図６を参照する）。スリーブ１は、異なる寸法の挿入管９１１に嵌合される。複数の切欠き溝１６は、本実施形態では第２の端部１４から第１の端部１３にかけて形成されているが、他の実施形態では、第１の端部１３から第２の端部１４にかけて形成されてもよい。
【００１８】
収容空間２１に隣接した側方開口２２の２つの側壁のうちの１つは、少なくとも１つのフック部２３を有することが好ましい。本実施形態では、複数のフック部２３により、針管９２２が収容空間２１内に位置拘束される。
【００１９】
注射器９を使用して注射を打つ場合、注射を打つ者（即ち医療従事者）は、針管９２２末端のカット面９２４と、シリンジ９１の目盛り９１２と、カバー２とを同一方向へ向け（即ち注射を打つ者へ向け）、針管９２２末端のカット面９２４が注射を打つ者へ向けられると、注射が打たれる者（即ち患者）へ針管９２２の先端が向けられるため、注射が打たれる者の体内へ刺し易くなり、針基９２１を雌ねじ部１２に螺着する際、針基９２１の雌ねじ部１２を底部までねじ込まなくても、カット面９２４が目盛りに位置合わせされると、直接、スリーブ１及び針基９２１がシリンジ９１へ押圧され、挿入管９１１の外壁が針基９２１の内壁に強固に接触されるため、操作し易い。
【００２０】
本考案の一実施形態に係る注射器９は、上述したような針具９２のキャップを有する。注射器９は、シリンジ９１、針具９２及び押子９３を有する。シリンジ９１には、チャンバ９１３が形成されているとともに、挿入管９１１が設けられる。スリーブ１は、第２の端部１４を介して挿入管９１１に嵌設される。針具９２は、互いに接続された針基９２１及び針管９２２を有する。針基９２１は、雌ねじ部１２に螺着される。針基９２１は、シリンジ９１の一端に設けられる。押子９３は、チャンバ９１３内に摺動可能に設けられるとともに、互いに接続されたピストン９３１及び押圧部材９３２を有し、チャンバ９１３内の注射液を押出すことができる。
【００２１】
上述したことから分かるように、本考案の針具キャップ及び針具キャップを有する注射器は、内周壁の径方向寸法が、第１の端部から第２の端部にかけて徐々に縮小しているため、針基を雌ねじ部に螺着する際、底部までねじ込まなくとも、針基がスリーブに強固に嵌合される。
【００２２】
また、本考案の針具キャップ及び針具キャップを有する注射器は、スリーブを異なる寸法の針基に螺合し、スリーブを様々な寸法の挿入管に嵌合し得るため、各注射器の規格に応じて様々な規格の針具キャップを製造する必要がなく、針具カバーの製造コストを減らすことができる。
【符号の説明】
【００２３】
１    スリーブ
２    カバー
３    弾性部材
９    注射器
１１    内周壁
１２    雌ねじ部
１３    第１の端部
１４    第２の端部
１５    内凸縁
１６    切欠き溝
２１    収容空間
２２    側方開口
２３    フック部
９１    シリンジ
９２    針具
９３    押子
９１１    挿入管
９１２    目盛り
９１３    チャンバ
９２１    針基
９２１Ａ    針基
９２２    針管
９２３    外凸縁
９２３Ａ    外凸縁
９２４    カット面
９３１    ピストン
９３２    押圧部材
【図１】
0003211878.tif 000003
【図２】
0003211878.tif 000004
【図３】
0003211878.tif 000005
【図４】
0003211878.tif 000006
【図５】
0003211878.tif 000007
【図６】
0003211878.tif 000008